(57)【要約】【課題】支持部の交換に伴う支持部の位置の変動を抑制する。【解決手段】媒体Ｍに印刷を行う印刷部４と、媒体Ｍを支持する支持部３ａと、支持部３ａが取り付けられるベース部３０と、支持部３ａに対して当接するように移動可能にベース部３０に取り付けられ、支持部３ａがベース部３０から取り外された場合においてもベース部３０に対する位置が変動しないように構成されている当接部１４と、を備える印刷装置１。このような構成の印刷装置１とすることで、支持部３ａの交換に伴う支持部３ａの位置の変動を抑制することが可能になる。【選択図】図５
2018122570.tif 000002
【特許請求の範囲】
【請求項１】
媒体に印刷を行う印刷部と、
前記媒体を支持する支持部と、
前記支持部が取り付けられるベース部と、
前記支持部に対して当接するように移動可能にベース部に取り付けられ、前記支持部が前記ベース部から取り外された場合においても前記ベース部に対する位置が変動しないように構成されている当接部と、
を備えることを特徴とする印刷装置。
【請求項２】
請求項１に記載の印刷装置において、
前記当接部は、該当接部を移動させる際に操作される第１部分と、前記支持部に対して当接可能な第２部分と、を有していることを特徴とする印刷装置。
【請求項３】
請求項２に記載の印刷装置において、
前記第１部分は、前記支持部に対して当接しないように構成され、
前記第２部分の静止摩擦係数は、前記第１部分の静止摩擦係数より低いことを特徴とする印刷装置。
【請求項４】
請求項２又は３に記載の印刷装置において、
前記第１部分は、前記第２部分としての当接部材を取り付け可能な雄ネジであることを特徴とする印刷装置。
【請求項５】
請求項１から４のいずれか１項に記載の印刷装置において、
前記支持部には、前記印刷部側から前記当接部にアクセス可能な開口部が設けられていることを特徴とする印刷装置。
【請求項６】
請求項１から４のいずれか１項に記載の印刷装置において、
前記印刷部と前記支持部とが対向する対向方向と交差する方向から前記当接部にアクセス可能に構成されていることを特徴とする印刷装置。
【請求項７】
媒体に印刷を行う印刷部と、
前記媒体を支持する支持部と、
前記支持部が取り付けられるベース部と、
前記支持部に対して当接するように移動可能にベース部に取り付けられ、前記支持部が前記ベース部から取り外された場合においても前記ベース部に対する位置が変動しないように構成されている当接部と、を備える印刷装置における支持部の位置記憶方法であって、
前記当接部を操作して、前記当接部を前記支持部と当接させるように移動させることを特徴とする支持部の位置記憶方法。
【発明の詳細な説明】
【技術分野】
【０００１】
本発明は、印刷装置及び支持部の位置記憶方法に関する。
【背景技術】
【０００２】
従来から、様々な印刷装置が使用されている。このうち、媒体を支持する支持部を備える印刷装置がある。  
例えば、特許文献１には、支持部としてのプラテンを備えた印刷装置が開示されている。
【先行技術文献】
【特許文献】
【０００３】
【特許文献１】特開２０１３−１１９２１７号公報
【発明の概要】
【発明が解決しようとする課題】
【０００４】
特許文献１に記載されるような、媒体を支持する支持部を備える従来の印刷装置においては、該印刷装置の使用に伴い、支持部などの構成部品が経時劣化し、交換する場合があった。しかしながら、支持部を交換する場合、古い支持部をベース部から取り外して新しい支持部をベース部に取り付けると、ベース部に対する支持部の取り付け状態が変わることで、支持部の位置（高さ）が変化してしまう場合があった。なお、特許文献１の印刷装置はプラテン（支持部）の位置調整（高さ調整）が可能な構成になっている。しかしながら、支持部の位置調整は手間がかかるため、支持部の交換に伴う支持部の位置の変動を抑制することが要求されてきた。
【０００５】
そこで、本発明は、支持部の交換に伴う支持部の位置の変動を抑制することを目的にする。
【課題を解決するための手段】
【０００６】
上記課題を解決するための本発明の第１の態様の印刷装置は、媒体に印刷を行う印刷部と、前記媒体を支持する支持部と、前記支持部が取り付けられるベース部と、前記支持部に対して当接するように移動可能にベース部に取り付けられ、前記支持部が前記ベース部から取り外された場合においても前記ベース部に対する位置が変動しないように構成されている当接部と、を備えることを特徴とする。
【０００７】
本態様によれば、当接部は、支持部に対して当接するように移動可能にベース部に取り付けられ、支持部がベース部から取り外された場合においてもベース部に対する位置が変動しないように構成されている。このため、支持部がベース部から取り外された場合においても当接部は位置の変動がないので、支持部の交換に伴う支持部の位置の変動を抑制できる。
【０００８】
本発明の第２の態様の印刷装置は、前記第１の態様において、前記当接部は、該当接部を移動させる際に操作される第１部分と、前記支持部に対して当接可能な第２部分と、を有していることを特徴とする。
【０００９】
本態様によれば、当接部は、当接部を移動させる際に操作される第１部分と支持部に対して当接可能な第２部分とを別々に有しているので、第１部分と第２部分との機能分離を明確にでき、当接部の移動操作を好適に行うことができる。
【００１０】
本発明の第３の態様の印刷装置は、前記第２の態様において、前記第１部分は、前記支持部に対して当接しないように構成され、前記第２部分の静止摩擦係数は、前記第１部分の静止摩擦係数より低いことを特徴とする。
【００１１】
本態様によれば、支持部に対して当接する第２部分のほうが支持部に対して当接しない第１部分よりも静止摩擦係数が低く、すなわち、支持部に対して当接する第２部分の静止摩擦係数を相対的に低く構成できる。このため、支持部が熱などの環境変化により膨張などしたとしても、摩擦力が大きくなって支持部を拘束することに伴う支持部の変形などを抑制できる。
【００１２】
本発明の第４の態様の印刷装置は、前記第２又は第３の態様において、前記第１部分は、前記第２部分としての当接部材を取り付け可能な雄ネジであることを特徴とする。
【００１３】
本態様によれば、第１部分は第２部分としての当接部材を取り付け可能な雄ネジである。このため、簡単に、当接部を移動させる際に操作される第１部分と支持部に対して当接可能な第２部分とを別々に構成できる。
【００１４】
本発明の第５の態様の印刷装置は、前記第１から第４のいずれか１つの態様において、前記支持部には、前記印刷部側から前記当接部にアクセス可能な開口部が設けられていることを特徴とする。
【００１５】
本態様によれば、支持部には印刷部側から当接部にアクセス可能な開口部が設けられているので、開口部を介して印刷部側から当接部にアクセスして当接部を移動させることができる。このため、特に支持部の印刷部側に作業スペースを大きくとれる構成において、簡単に当接部の移動操作を行うことができる。  
なお、「当接部にアクセス可能」とは、当接部を移動するための操作が可能であることを意味する。
【００１６】
本発明の第６の態様の印刷装置は、前記第１から第４のいずれか１つの態様において、前記印刷部と前記支持部とが対向する対向方向と交差する方向から前記当接部にアクセス可能に構成されていることを特徴とする。
【００１７】
本態様によれば、印刷部と支持部とが対向する対向方向と交差する方向から当接部にアクセス可能に構成されているので、支持部の印刷部側に作業スペースを大きくとれない構成であっても、対向方向と交差する方向から簡単に当接部の移動操作を行うことができる。
【００１８】
本発明の第７の態様の支持部の位置記憶方法は、媒体に印刷を行う印刷部と、前記媒体を支持する支持部と、前記支持部が取り付けられるベース部と、前記支持部に対して当接するように移動可能にベース部に取り付けられ、前記支持部が前記ベース部から取り外された場合においても前記ベース部に対する位置が変動しないように構成されている当接部と、を備える印刷装置における支持部の位置記憶方法であって、前記当接部を操作して、前記当接部を前記支持部と当接させるように移動させることを特徴とする。
【００１９】
本態様によれば、当接部は、支持部に対して当接するように移動可能にベース部に取り付けられ、支持部がベース部から取り外された場合においてもベース部に対する位置が変動しないように構成されている。このため、支持部がベース部から取り外された場合においても当接部は位置の変動がないので、当接部を操作して当接部を支持部と当接させるように移動させることで、支持部の交換に伴う支持部の位置の変動を抑制できる。
【図面の簡単な説明】
【００２０】
【図１】本発明の実施例１に係る印刷装置の概略側面図。
【図２】本発明の実施例１に係る印刷装置の要部の概略平面図。
【図３】本発明の実施例１に係る印刷装置の要部の概略平面図。
【図４】本発明の実施例１に係る印刷装置の要部の概略平面図。
【図５】本発明の実施例１に係る印刷装置の要部の概略斜視図。
【図６】本発明の実施例１に係る印刷装置の要部の概略斜視図。
【図７】本発明の実施例１に係る印刷装置の要部の概略正面図。
【図８】本発明の実施例１に係る印刷装置の要部の概略正面図。
【図９】本発明の実施例２に係る印刷装置の要部の概略正面図。
【図１０】本発明の実施例３に係る印刷装置の要部の概略正面図。
【図１１】本発明の実施例３に係る印刷装置の要部の概略正面図。
【図１２】本発明の実施例４に係る印刷装置の要部の概略正面図。
【図１３】本発明の実施例４に係る印刷装置の要部の概略正面図。
【発明を実施するための形態】
【００２１】
以下に、本発明の一実施例に係る印刷装置について、添付図面を参照して詳細に説明する。  
［実施例１］（図１〜図８）  
最初に、本発明の実施例１に係る印刷装置の概要について説明する。  
図１は、本実施例に係る印刷装置１の概略側面図である。
【００２２】
本実施例の印刷装置１は、印刷を行うためのロール状の媒体ＭのロールＲ１を支持する支持軸２を備えている。そして、本実施例の印刷装置１は、媒体Ｍを搬送方向Ａに搬送する際、支持軸２は回転方向Ｃに回転する。なお、本実施例では印刷面が外側になるように巻かれているロール状の媒体Ｍを使用しているが、印刷面が内側になるように巻かれているロール状の媒体Ｍを使用する場合は、支持軸２の回転方向Ｃとは逆回転してロールＲ１を送り出すことが可能である。  
また、本実施例の印刷装置１は媒体Ｍとしてロール状の媒体を使用しているが、このようなロール状の媒体を使用する印刷装置に限定されない。例えば、単票式の媒体を用いてもよい。
【００２３】
また、本実施例の印刷装置１は、媒体Ｍを支持する支持部３などからなる媒体Ｍの搬送経路において該媒体Ｍを搬送方向Ａに搬送するための、駆動ローラー７と従動ローラー８とからなる搬送ローラー対５を備えている。  
ここで、支持部３は、後述する印刷部４と対向する領域に設けられる支持部３ａ、支持部３ａよりも搬送方向Ａの上流側に設けられる支持部３ｂ、支持部３ａよりも搬送方向Ａの下流側に設けられる支持部３ｃで構成されている。このうち、本実施例の印刷装置１の要部である支持部３ａの形成領域についての詳細は後述する。  
なお、本実施例の印刷装置１では、駆動ローラー７は媒体Ｍの搬送方向Ａと交差する走査方向Ｂに延びる１本のローラーで構成されており、従動ローラー８は駆動ローラー７と対向する位置において走査方向Ｂに複数並べて設けられている。
【００２４】
なお、支持部３の下部には、印刷部４よりも媒体Ｍの搬送方向Ａにおける下流側（支持部３ｃに対応する領域）において、支持部３に支持された媒体Ｍを加熱可能な加熱部としてのヒーター１２が設けられている。このように、本実施例の印刷装置１は、加熱部として、支持部３側から媒体Ｍを加熱可能なヒーターを備えているが、支持部３と対向する位置に設けられる赤外線ヒーター等を備えていてもよい。
【００２５】
また、本実施例の印刷装置１は、筐体部１１の内部に、複数のノズルが設けられたノズル形成面の該ノズルからインクを吐出して印刷するインクジェットヘッドとしての印刷部４と、該印刷部４を搭載して走査方向Ｂに往復移動可能なキャリッジ６と、を備えている。  
なお、本実施例の印刷装置１では、支持部３上の印刷部４（ノズル形成面）と対向する位置における媒体Ｍの搬送方向Ａは水平方向である方向Ｙに沿う方向であり、印刷部４の走査方向Ｂは水平方向であって方向Ｙと直交する方向Ｘに沿う方向であり、インクの吐出方向は鉛直方向である方向Ｚに沿う方向（鉛直下方向）である。
【００２６】
ここで、上記のように、印刷部４は、媒体Ｍの搬送方向Ａと交差する走査方向Ｂに往復移動しながら、搬送される媒体Ｍに不図示のノズルからインクを吐出して印刷することが可能な構成である。このような構成の印刷部４を備えていることにより、本実施例の印刷装置１は、所定量（１パス分）媒体Ｍを搬送方向Ａに搬送させることと、媒体Ｍを停止した状態で印刷部４を走査方向Ｂに移動させながらインクを吐出させることと、を繰り返すことで、媒体Ｍに所望の画像を形成可能である。  
なお、本実施例の印刷装置１は、媒体Ｍの搬送と印刷部４の走査とを交互に繰り返して印刷を行う所謂シリアルプリンターであるが、媒体Ｍの幅方向に沿ってライン状にノズルが形成されたラインヘッドを使用して連続的に媒体Ｍを搬送しながら連続的に印刷を行う所謂ラインプリンターであってもよい。さらには、例えば、転写式プリンターなど、インクジェットプリンター以外の印刷装置であってもよい。
【００２７】
また、印刷部４の媒体Ｍの搬送方向Ａにおける下流側には、媒体ＭをロールＲ２として巻き取り可能な巻取軸１０が備えられている。なお、本実施例では印刷面が外側になるように媒体Ｍを巻き取るので、媒体Ｍを巻き取る際、巻取軸１０は回転方向Ｃに回転する。一方、印刷面が内側になるように巻き取る場合は、回転方向Ｃとは逆回転して巻き取ることが可能である。
【００２８】
また、支持部３における媒体Ｍの搬送方向Ａにおける下流側の端部と、巻取軸１０と、の間には、媒体Ｍとの接触部が走査方向Ｂに延設され、媒体Ｍに所望のテンションを付与することが可能なテンションバー９が設けられている。
【００２９】
次に、本実施例の印刷装置１の要部である支持部３ａの形成領域について説明する。  
ここで、図２及び図３は支持部３ａの形成領域の概略平面図であり、このうち図２は支持部３ａが取り付けられるベース部３０に焦点を当てた概略図を表しており、図３は支持部３ａに焦点を当てた概略図を表している。  
また、図４は、支持部３ａの形成領域の一部の概略平面図である。  
そして、図５は、図４に対応する支持部３ａの形成領域の概略斜視図である。
【００３０】
図２及び図３で表されるように、支持部３ａの形成領域には、搬送方向Ａに沿って３個、走査方向Ｂに沿って６個、すなわち、合計１８個の、ベース部３０に対する支持部３ａの取付け部１３が形成されている。  
取付け部１３は、ベース部３０に対して支持部３ａを取り付けることができるほか、ベース部３０に対する支持部３ａの方向Ｚに沿う方向の位置を調整可能な構成になっている。ここで、図４及び図５で表されるように、取付け部１３は、当接部１４、調整部１５、当接部１４及び調整部１５の台座１６、により構成されている。本実施例の取付け部１３は、支持部３ａが取り付けられた状態で調整部１５をベース部３０に対して方向Ｚに沿って移動させることにより該支持部３ａの位置を調整し、当接部１４をベース部３０に固定された台座１６に対して方向Ｚに沿って移動させることにより、調整された位置にある支持部３ａに当接部１４を当接させ、支持部３ａの位置を当接部１４に記憶させる（支持部３ａと当接した位置で当接部１４を固定する）ことが可能な構成になっている。  
なお、本実施例の印刷装置１においては、ベース部３０に対する支持部３ａの取付け部１３がこのような構成になっているが、ベース部３０に対する支持部３ｂの取付け部、並びに、ベース部３０に対する支持部３ｃの取付け部がこのような構成になっていてもよい。
【００３１】
以下に、本実施例の印刷装置１の要部である取付け部１３についてさらに詳細に説明する。  
ここで、図６は、取付け部１３の概略斜視図である。  
また、図７及び図８は、ベース部３０に取り付けられるとともに支持部３ａが取り付けられた状態における取付け部１３の概略正面図である。このうち、図７は、調整部１５により支持部３ａの方向Ｚに沿う方向の位置を調整している際の概略図を表している。また、図８は、調整部１５により調整された支持部３ａの位置において当接部１４を支持部３ａに当接させた際の概略図を表している。
【００３２】
図６〜図８で表されるように、調整部１５は、ベース部３０に対して方向Ｚに移動可能なネジ１７、樹脂製のワッシャー１８、コイルバネ１９、を備えている。そして、ネジ１７のネジ頭１７ａで、支持部３ａのネジ孔２０のくびれ部２０ａ、ワッシャー１８、コイルバネ１９をベース部３０と共に挟み込むことで、ネジ孔２０を介してベース部３０に対して方向Ｚに沿って支持部３ａの位置を調整可能になっている。  
なお、調整部１５は、樹脂製のワッシャー１８及びコイルバネ１９を有していなくても構成可能であるが、樹脂製のワッシャー１８を設けることで支持部３ａにダメージを与えることを抑制でき、コイルバネ１９を設けることで振動によりネジ１７に緩みが発生することを抑制できる。
【００３３】
また、図７及び図８で表されるように、台座１６はベース部３０に固定されている。  
また、図６〜図８で表されるように、当接部１４は、台座１６に対して方向Ｚに移動可能なネジ２１、当接部材としての樹脂製の平板状部材２２、を備えている。ここで、ネジ２１のネジ頭２１ａは、ネジ回し（ドライバー）が嵌合する部分である。そして、ネジ２１は、ネジ頭２１ａよりもネジ軸側に、平板状部材受け部２４を備えている。平板状部材受け部２４は、具体的には、ネジ２１に取り付けられたフランジナット（フランジ部分を有するナット）である。そして、図８で表されるように、平板状部材受け部２４に載せられた平板状部材２２で、支持部３ａに当接可能になっている。なお、図７及び図８で表されるように、支持部３ａの当接部１４に対応する位置にはネジ孔２３が設けられており、支持部３ａの上側（印刷部４側）からネジ２１のネジ頭２１ａにネジ回しがアクセスできるようになっている。また、さらに、図８で表されるように、ネジ孔２３の下側部分２３ａは、ネジ頭２１ａが入り込むのに十分な大きさとなっており、このことで、当接部１４は、支持部３ａに対して、平板状部材２２のみが当接する（ネジ頭２１ａは当接しない）構成となっている。  
当接部１４は、このような構成となっていることで、支持部３ａを交換することに伴い、古い支持部３ａをベース部３０から取り外し、新たな支持部３ａをベース部３０に取り付けた場合において、新たな支持部３ａのベース部３０に対する位置が、古い支持部３ａを取り付けていたときの位置に対して変動しないようになっている。  
ここで、調整部１５と当接部１４とを一体的に構成することも可能であるが、調整部１５と当接部１４とを別々に構成することで、より効果的に支持部３ａの変形を抑制できる。
【００３４】
まとめると、本実施例の印刷装置１は、媒体Ｍに印刷を行う印刷部４と、媒体Ｍを支持する支持部３ａと、支持部３ａが取り付けられるベース部３０と、支持部３ａに対して当接するように移動可能にベース部３０に取り付けられ、支持部３ａがベース部３０から取り外された場合においてもベース部３０に対する位置が変動しないように構成されている当接部１４と、を備えている。このため、支持部３ａがベース部３０から取り外された場合においても当接部１４は位置の変動がないので、支持部３ａの交換に伴う支持部３ａの位置の変動を抑制できる。
【００３５】
別の表現をすると、媒体Ｍに印刷を行う印刷部４と、媒体Ｍを支持する支持部３ａと、支持部３ａが取り付けられるベース部３０と、支持部３ａに対して当接するように移動可能にベース部３０に取り付けられ、支持部３ａがベース部３０から取り外された場合においてもベース部３０に対する位置が変動しないように構成されている当接部１４と、を備える本実施例の印刷装置１を用いて、当接部１４を操作して、当接部１４を支持部３ａと当接させるように移動させることで支持部３ａの位置を記憶させる支持部の位置記憶方法を実行できる。  
このような支持部の位置記憶方法を実行すれば、支持部３ａがベース部３０から取り外された場合においても当接部１４は位置の変動がないので、当接部１４を操作して当接部１４を支持部３ａと当接させるように移動させることで、支持部３ａの交換に伴う支持部３ａの位置の変動を抑制できる。
【００３６】
また、本実施例の当接部１４は、該当接部１４を移動させる際に操作される第１部分としてのネジ２１（ネジ頭２１ａ）と、支持部３ａに対して当接可能な第２部分としての平板状部材２２と、を有している。すなわち、本実施例の当接部１４は、当接部１４を移動させる際に操作される第１部分と、支持部３ａに対して当接可能な第２部分と、を別々に有しているので、第１部分と第２部分との機能分離を明確にでき、当接部１４の移動操作を好適に行うことができる。
【００３７】
また、本実施例の印刷装置１におけるネジ２１（ネジ頭２１ａ）は、上記のように、支持部３ａに対して当接しないように構成されている。そして、樹脂製である平板状部材２２の静止摩擦係数は、金属製であるネジ２１の静止摩擦係数より低くなるように構成されている。すなわち、支持部３ａに対して当接する第２部分（平板状部材２２）の静止摩擦係数を相対的に低く構成している。このため、本実施例の印刷装置１は、支持部３ａが熱などの環境変化により膨張などしたとしても、摩擦力が大きくなって支持部３ａを拘束することに伴う支持部３ａの変形などを抑制できる構成になっている。  
なお、ネジ２１（ネジ１７も同様）を回す場合、樹脂製の平板状部材２２（樹脂製のワッシャー１８も同様）の破損防止のため、所定のトルクで回すことが好ましく、トルクドライバーなどを使用することが好ましい。  
また、本実施例の第２部分（平板状部材２２）は樹脂製であるが、樹脂製であることに限定されず、金属製などであってもよい。ただし、第２部分を金属製にする場合、静止摩擦係数を低くする処理がなされていることが好ましい。
【００３８】
また、図６〜図８で表されるように、本実施例の印刷装置１における第１部分は、ネジ２１に第２部分としての平板状部材２２を取り付け可能な雄ネジである。このため、簡単に、所望の性能を満たす、当接部１４を移動させる際に操作される第１部分と、支持部３ａに対して当接可能な第２部分と、を別々に構成できている。雄ネジ（ネジ２１）は簡単に製造できるうえ、回転させることで簡単に雌ねじ形成部（台座１６）に対して位置を変えることができ、当接部材としての平板状部材２２は簡単に製造できるうえ、平板状とすることにより平面で確りと支持部３ａを支えることができるためである。
【００３９】
［実施例２］（図９）  
次に、実施例２の印刷装置について、添付図面を参照して詳細に説明する。  
図９は本実施例の印刷装置１の要部である取付け部１３を表す概略正面図であり、実施例１の印刷装置１の図８に対応する図である。なお、上記実施例１と共通する構成部材は同じ符号で示しており、詳細な説明は省略する。  
なお、本実施例の印刷装置１は、取付け部１３の当接部１４の構成以外は、実施例１の印刷装置１と同様の構成である。
【００４０】
実施例１の当接部１４は、該当接部１４を移動させる際に操作される第１部分としてのネジ２１（ネジ頭２１ａ）と、支持部３ａに対して当接可能な第２部分としての平板状部材２２と、を別々に有していた。  
一方、図９で表されるように、本実施例の当接部１４は、ネジ１２１のネジ頭１２１ａが支持部３ａに対して当接可能な第２部分を兼ねる構成である。このような構成とすることで、当接部１４をより簡単に構成できる。  
なお、図９で表されるように、本実施例のネジ頭１２１ａの上部は平面状であるが、ネジ回しが嵌合する部分などが凹んでいる構成などとしてもよい。
【００４１】
ここで、本実施例の印刷装置１は、実施例１の印刷装置１と同様、支持部３ａには、印刷部４側から当接部１４にアクセス可能な開口部としてのネジ孔２３が設けられている。このため、ネジ孔２３を介して印刷部４側から当接部１４にアクセスして当接部１４を移動させることができる。したがって、特に支持部３ａの印刷部４側に作業スペースを大きくとれる構成において、簡単に当接部１４の移動操作を行うことができる。  
しかしながら、このような構成に限定されない。以下の実施例３及び４で、印刷部４と支持部３ａとが対向する対向方向（方向Ｚに沿う方向）と交差する方向から当接部１４にアクセス可能な構成例について説明する。  
なお、「当接部１４にアクセス可能」とは、当接部１４を移動するための操作が可能であることを意味する。
【００４２】
［実施例３］（図１０及び図１１）  
次に、実施例３の印刷装置について、添付図面を参照して詳細に説明する。  
図１０は本実施例の印刷装置１の要部である取付け部１３を表す概略正面図であり、実施例１の印刷装置１の図７に対応する図である。図１１は本実施例の印刷装置１の要部である取付け部１３を表す概略正面図であり、実施例１の印刷装置１の図８に対応する図である。なお、上記実施例１及び２と共通する構成部材は同じ符号で示しており、詳細な説明は省略する。  
なお、本実施例の印刷装置１は、取付け部１３の当接部１４の構成以外は、実施例１及び２の印刷装置１と同様の構成である。
【００４３】
図１０及び図１１で表されるように、本実施例の当接部１４は、方向Ｙに沿ってネジ回しをアクセスさせることが可能なピニオン２７と、ピニオン２７を回転方向Ｄに回転させることにより方向Ｚに沿って移動可能なラック２６と、を有している。そして、ピニオン２７を回転させて、ラック２６を図１０の状態から図１１の状態に移動させることで、ラック２６の上端部２６ａが支持部３ａに対して当接する構成になっている。
【００４４】
［実施例４］（図１２及び図１３）  
次に、実施例４の印刷装置について、添付図面を参照して詳細に説明する。  
図１２は本実施例の印刷装置１の要部である取付け部１３を表す概略正面図であり、実施例１の印刷装置１の図７に対応する図である。図１３は本実施例の印刷装置１の要部である取付け部１３を表す概略正面図であり、実施例１の印刷装置１の図８に対応する図である。なお、上記実施例１〜３と共通する構成部材は同じ符号で示しており、詳細な説明は省略する。  
なお、本実施例の印刷装置１は、取付け部１３の当接部１４の構成以外は、実施例１〜３の印刷装置１と同様の構成である。
【００４５】
図１２及び図１３で表されるように、本実施例の当接部１４は、方向Ｙに沿ってネジ回しをアクセスさせることが可能な回転軸２８ａを備えた偏心カム２８と、偏心カム２８を回転方向Ｅに回転させることにより方向Ｚに沿って移動可能な移動部２９と、を有している。そして、偏心カム２８を回転させて、移動部２９を図１２の状態から図１３の状態に移動させることで、移動部２９の上端部２９ａが支持部３ａに対して当接する構成になっている。なお、図１３では、偏心カム２８における回転軸２８ａと周面との距離が最長になる部分を移動部２９と当接させたときに、移動部２９が支持部３ａに当接する状態となっている。しかし、偏心カム２８のどの部分を移動部２９と当接させたときに移動部２９が支持部３ａに当接する状態となるかは、支持部３ａの方向Ｚにおける位置によって異なるものである。
【００４６】
上記のように、実施例３及び４の印刷装置１は、何れも、印刷部４と支持部３ａとが対向する対向方向（方向Ｚに沿う方向）と交差する方向から（方向Ｙに沿って）当接部１４にアクセス可能に構成されている。このため、支持部３ａの印刷部４側に作業スペースを大きくとれない構成であっても、対向方向と交差する方向から簡単に当接部１４の移動操作を行うことができる。
【００４７】
なお、本発明は上記実施例に限定されることなく、特許請求の範囲に記載した発明の範囲内で種々の変形が可能であり、それらも本発明の範囲内に含まれることは言うまでもない。
【符号の説明】
【００４８】
１…印刷装置、２…支持軸、３…支持部、３ａ…支持部、３ｂ…支持部、
３ｃ…支持部、４…印刷部、５…搬送ローラー対、６…キャリッジ、
７…駆動ローラー、８…従動ローラー、９…テンションバー、１０…巻取軸、
１１…筐体部、１２…ヒーター、１３…取付け部、１４…当接部、１５…調整部、
１６…台座、１７…ネジ、１７ａ…ネジ頭、１８…ワッシャー、１９…コイルバネ、
２０…ネジ孔、２０ａ…ネジ孔２０のくびれ部、２１…ネジ（第１部分）、
２１ａ…ネジ頭、２２…平板状部材（第２部分、当接部材）、２３…ネジ孔（開口部）、
２３ａ…ネジ孔２３の下側部分、２４…平板状部材受け部、
２６…ラック、２６ａ…ラック２６の上端部、
２７…ピニオン、２８…偏心カム、２８ａ…回転軸、２９…移動部、
２９ａ…移動部２９の上端部、３０…ベース部、Ｍ…媒体、Ｒ１…媒体Ｍのロール、
Ｒ２…媒体Ｍのロール
【図１】
2018122570.tif 000003
【図２】
2018122570.tif 000004
【図３】
2018122570.tif 000005
【図４】
2018122570.tif 000006
【図５】
2018122570.tif 000007
【図６】
2018122570.tif 000008
【図７】
2018122570.tif 000009
【図８】
2018122570.tif 000010
【図９】
2018122570.tif 000011
【図１０】
2018122570.tif 000012
【図１１】
2018122570.tif 000013
【図１２】
2018122570.tif 000014
【図１３】
2018122570.tif 000015